Podtech/llm-jp-corpus-v4-ja_patent huggingface dataset:
(57)【要約】      （修正有）【課題】黒にんにくの炭素化（カーボン化）及びその炭素化した物質を含む食品を提供する。【解決手段】ナマのにんにくを発酵・熟成させた黒にんにくを低温（１１０℃）にて炭素化する。低温での炭素化により、にんにくの栄養価値を維持し、そのＰＨは中性付近であり、胃に優しく、にんにくの生食と同じ効果を有する。また、完全無臭であるため、食後の口臭もなく、栄養価（ミネラル、アミノ酸等）を落とさず、腸を浄化することができる。【選択図】図１
2009112291.tif 000002
【特許請求の範囲】
【請求項１】
黒にんにくを低温にて炭素化した後、食品・健康食品・サプリメント等として使用。
【発明の詳細な説明】
【技術分野】
【０００１】  本発明は、黒にんにくを炭素化する技術である。
【背景技術】
【０００２】  従来は、黒にんにく（ナマのにんにくを発酵・熟成させたもの）の熟成過程で生ずる２次的加工食品については、これを乾燥させたものを紛体にする、ジャム化する、という２次製品は存したが、炭素化するという発想自体存しなかった。
【発明の開示】
【発明が解決しようとする課題】
【０００３】  黒にんにくの炭化過程については、従来、３００〜４００℃のような高温で加熱してしまえば、ただの燃えカスであり、全く何らの利用価値のないものであった。
【課題を解決するための手段】
【０００４】  そこで、黒にんにくを低温（１１０℃）にて炭素化することにより、栄養価（ミネラル、アミノ酸等）を落とさず、腸を浄化することができる物質が出来上がった。
【発明の効果】
【０００５】  低温での炭素化により、１  栄養価値が落ちない、２  ＰＨは中性に近くなり、胃に優しく、にんにくをナマで食べたと同じ効果がある、４  完全無臭であるため、食後の口臭等の問題も解決される、
【発明を実施するための最良の形態】
【０００６】  本考案では、前段階の黒にんにくの生成過程として、熟成発酵促進液（乳酸菌）の中に、約１時間浸しておく。
次に、そのにんにくを、湿度１１０〜１２０％、温度７０〜７５℃の室の中に入れ、約２０日間かけて熟成させ、発酵させて、黒にんにくを作る。
更に、黒にんにくを、１１０℃前後の湿度で乾燥させ、炭素化（カーボン化）する。
【産業上の利用可能性】
【０００７】  本発明にかかる炭素化物質は、健康食品・サプリメントとして量産がが可能であるから、産業上の利用可能性も大きい。
【図面の簡単な説明】
【０００８】
【図１】本発明に係る前段階の処理として、熟成発酵促進液（乳酸菌）の中に浸しておく断面図。
【図２】低温で湿り気をとって乾燥させ、炭素化する過程の断面図。
【符号の説明】
【０００９】１  蒸し器
２  生にんにく
３  蓋
４  通気孔
５  下蓋
６  通気孔
７  発酵促進液（水をはる）
８  黒にんにく
９  加熱器（電気など）
【図１】
2009112291.tif 000003
【図２】
2009112291.tif 000004
(57)【要約】      （修正有）【課題】作業の手軽な除草用カッターを提供する。【解決手段】片側に一連の鋸刃１ａと、その先端に押し切り用刃１ｂを設け、串型ソーに形成した除草用カッター。【選択図】図１
2009112299.tif 000002
【特許請求の範囲】
【請求項１】
片側に一連の鋸刃と、その先端に押し切り用刃を設け、串型ソーに形成したことを特徴とする、隙間草用カッター。
【発明の詳細な説明】
【技術分野】
【０００１】  本発明は、主としてコンクリート体の接合部や開口部などに生える隙間草の除草用カッターに関するものである。
【背景技術】
【０００２】  一般に隙間草は、根張りが頑強な事と、除草上のスペースが詰っている等で清掃にはいつか枯れ草化する薬物利用が目立つようになり、それも都市圏を席巻している現状である。
【発明の開示】
【発明が解決しようとする課題】
【０００３】  上記によって本発明は、環境問題に根ざし、清掃手段の脱薬物と共に一貫した作業の手軽さを期す。
【解決手段】
【０００４】  片側に一連の鋸刃と、その先端に押し切り用刃を設けた串型ソーに上り、草根をカットする除草手段をとる。
【発明の効果】
【０００５】  草根処理で進める清掃手段が比較的手軽になるため、薬物利用の代替手段として提供することができる
【発明を実施するための最良の形態】
【０００６】  カッター部（１）は、一連の鋸刃（１ａ）と、その先端に押し切り用刃（１ｂ）を備えた平串状で、中空に設けたグリップ（２）に着脱自在の取り付けにあり、その予備刃として適数を該グリップの中空部に収納する。
【図面の簡単な説明】
【０００７】
【図１】
2009112299.tif 000003
【符号の説明】
【０００８】１    カッター主体
１ａ  鋸刃部
１ｂ  押し切り用刃部
２    グリップ
２ａ  キャップ
【図１】
2009112299.tif 000004
(57)【要約】      （修正有）【課題】従来人手によって行われていた農業の現場で大量に発生するゴミの処理作業を、機械力により行う。【解決手段】トラクターのロール運搬用のロールグローブ等を先端に取りつける。これにより従来人手によって行われていた農業の現場で大量に発生するゴミの処理作業が、機械力により行う事が可能となる。【選択図】図２
2009112298.tif 000002
【特許請求の範囲】
【請求項１】
大量に発生するゴミの片付けを、人手に代わり行うトラクターのロール運搬用のロールグローブ等の先端に取りつける装置。
〔実施例１〕
〔０００７〕
〔図１〕  トラクターのロール運搬用のロールグローブ等の先端に取りつける本発明装置を取り付ける。
【発明の詳細な説明】
【技術分野】
【０００１】農業の現場で大量に発生するゴミの片付けを、人手に代わり行う装置である。
トラクターのロール運搬用のロールグローブ等の先端に取りつける装置で、これにより、掴む、持ち上げる、運ぶ等、また、薄いもの、長いもの、重いもの、汚れたもの、濡れたもの等を簡単に取り扱う事が出来る装置である。
【背景技術】
【０００２】農業の現場ではゴミの片付けが大きな問題となっている。生活環境、仕事の効率化と共に、仕事労働環（労働所要時間、天候）に積極敵に取り組まねばならない状況である。本発明装置の活用により問題は解決し、それに伴い経済効果も認められるものである。
【発明の開示】
【発明が解決しようとする課題】
【０００３】農業の現場で大量に発生するゴミ（ラップフィルム、ビニールシート、スタックポリ、肥料用トランスパック、トワインネット、肥料袋、古タイヤ、食べ残し牧草）の片付けは、従来人手により行われてきたが、生活環境、仕事の効率化と共に、仕事労働環（労働所要時間、天候）の改善とその解決が必要である。
【課題を解決するための手段】
【０００４】トラクターのロール運搬用のロールグローブ等の先端に取りつける本発明装置を取り付ける事により解決出来る。
【発明の効果】
【０００５】トラクターのロール運搬用のロールグローブ等の先端に取りつける本発明装置に因り、掴む、持ち上げる、運ぶ等、また、薄いもの、長いもの、重いもの、汚れたもの、濡れたもの等を簡単に取り扱う事が出来る。又、生活環境、仕事の効率化と共に、仕事労働環（労働所要時間、天候）の改善効果が本発明装置の活用により解決される。更にそれに伴い経済効果も認められるものである。本発明装置の活用によりトラック等への直接積込みが可能となり、ゴミの不法投棄、野焼き、などの誘発を防ぐことにもなり、環境保全、環境の美化にも寄与するものとなる。
【発明を実施するための最良の形態】
【０００６】トラクターのロール運搬用のロールグローブの先端に取りつける本発明装置を取り付ける。
【実施例１】
【０００７】〔図１〕  トラクターのロール運搬用のロールグローブの先端に取りつける本発明装置を取り付ける。
【図面の簡単な説明】
【０００８】
【図１】  正面図（太実線で示す部分  ロールグローブ延長爪）
【図２】  平面図（太実線で示す部分  ロールグローブ延長爪）
【図３】  側面図（太実線で示す部分  ロールグローブ延長爪）
【図１】
2009112298.tif 000003
【図２】
2009112298.tif 000004
【図３】
2009112298.tif 000005
(57)【要約】【課題】水田の位置を自動的に調整する水位調整装置を提供する。【解決の手段】フロートに連結された球状の弁で水位と同様にフロートの上下により、弁を開け閉めすることができる水位調整装置である。【選択図】図１
2009112296.tif 000002
【特許請求の範囲】
【請求項１】
給水路パイプ誘引用パイプを介して水位調整用パイプを連結し、水位調整装置の前記水位調整用パイプにフロートによって開閉する球状弁を設けた調整パイプを設けたことを特徴とする水位調整装置
【発明の詳細な説明】
【技術分野】
【０００１】本発明は水田等の耕作時における用水路からの給水を最適水位に保つ水位調整装置に関するものである。
【背景技術】
【０００２】従来、水田等における耕作時の水位調整は、用水路に設けられた堰等で人手によりされていた。
【発明者の開示】
【発明者が解決しようとする課題】
【０００３】一般に水稲栽培では、収穫期を除いてほとんどの期間、田に水が満たされている。田には給水路と排水路が設けられており、田の水が少ない時は給水路を開いて水を導入し、適切な水位になったことを目視で確認し、給水口を閉じるのであるが、これらの作業は大変煩わしいものであった。これに対し、弁を作動させる自動装置が提案されているが、装置が高価であったり、付帯工事が必要であり問題があった。
【課題を解決するための手段】
【０００４】水田用給水路の給水口から水田土面の高低差を自在に調整できるパイプにより水田土面に誘引された水をフロートに連結された球状の弁により、一定水位に達していくと同時にそのフロートが上昇し、弁が閉じ、再びその水位が低下していくとフロートも同時に低下し、水が流入することを繰り返すものである。
【発明の効果】
【０００５】水田の水位の高低だけにより、フロートと連結された球状の弁が閉じる、開くを繰り返すため、水位の過剰もなく常時一定に保つことができ、水資源の保護にもなる。
【発明を実施するための最良の形態】
【０００６】以下、本発明の実施について説明する。
（イ）    給水路パイプ（１）内に密着用パッキン（２）の付いた誘引用パイプ（３）を差し込む。
（ロ）    誘引用パイプ底面（７）を水田土面（８）に合わせる。
（ハ）    密着用パッキン（４）のついた水位調整用パイプ（９）を水田土面（８）に水平になるように誘引用パイプ低位部（１２）に差し込む。
（ニ）    水位調整用パイプ（９）部の先端にある泥吐き部（１０）に蓋（１１）をする。
（ホ）    給水路パイプ（１）部の底面と水田土面（８）が水平に位置する時には、水位調整用パイプ（９）を直接、給水路パイプ（１）に差し込む。
（ヘ）    又、給水路パイプ（１）と水田土面（８）に高低差がある場合であっても、フロート（５）の上下への調整をする場合には水位調整用パイプ（９）を直接給水路パイプ（１）に差し込む。
本発明は以上のような構成で給水路から流入してきた水は水田内へ入り、自動的に水位が保たれるものである。
【図面の簡単な説明】
【０００７】
【図１】本発明の側面図
【図２】本発明の斜視図
【図３】本発明の水流入時の球状弁とフロート部分の側面図
【図４】本発明の止水時の球状弁とフロート部分の側面図
【符号の説明】
１  吸引用パイプ
２  密着用パッキン
３  誘引用パイプ
４  密着用パッキン
５  フロート
６  球状弁
７  誘引用パイプ底面
８  水田土面
９  水位調整用パイプ
１０  泥吐き部
１１  蓋
１２  誘引用パイプ低位部
【図１】
2009112296.tif 000003
【図２】
2009112296.tif 000004
【図３】
2009112296.tif 000005
【図４】
2009112296.tif 000006
(57)【要約】【課題】カッターナイフで紙パック等の角部を切断する。【解決手段】カッターナイフ１に備えてある刃２を中心に左右同じ角度θで９１〜１２０゜の範囲にガイド体２０ａ、２０ｂを設ける。【選択図】図２
2009112699.tif 000002
【特許請求の範囲】
【請求項１】
握手部の端部に刃を備えるカッターナイフであって、
前記刃を中心に、左右同じ角度θで、９１〜１２０゜の範囲にガイド体を設けることを特徴とするカッターナイフ。
【請求項２】
刃を中心とするガイド体の角度θを１００〜１１０゜であることを特徴とする請求項１のカッターナイフ。
【請求項３】
ガイド体の下縁部を外側に曲折することを特徴とする請求項１または請求項２のカッターナイフ。
【発明の詳細な説明】
【技術分野】
【０００１】
本願発明は、カッターナイフであり、より詳細には紙パック等の角部を切断するカッターナイフに関する。
【背景技術】
【０００２】
従来、紙パック等の角部を切断するカッターナイフには、特開２００１−２５９２５７号公報がある。
この公報に開示のカッターナイフは、把手部に、垂直のガイドプレート（Ａ）とガイドプレート（Ｂ）を有し、刃をガイドプレート（Ｂ）に垂設した構成である。
そのため、紙パック等の角部に刃を挿入した後に、把手部を移動させると、刃はガイドプレート（Ａ）とガイドプレート（Ｂ）で誘導されて、角部を進んで切断することができる。
【０００３】
【特許文献１】特開２００１−２５９２５７号公報
【発明の開示】
【発明が解決しようとする課題】
【０００４】
前記カッターナイフは、ガイドプレート（Ａ）とガイドプレート（Ｂ）を有しているので、角部専用のナイフである。しかし、前記カッターナイフは、厳密にいうと、ガイドプレート（Ａ）とガイドプレート（Ｂ）と刃の位置関係から、紙パックの角部にガイドプレート（Ａ）とガイドプレート（Ｂ）を当てると、刃の位置は角部から僅かに離れた位置を切断する。
そこで、本願発明では、角部の頂部を切断できるカッターナイフを提供するものである。
【課題を解決するための手段】
【０００５】
請求項１の握手部の端部に刃を備えるカッターナイフは、前記刃を中心に、左右同じ角度θで９１〜１２０゜の範囲にガイド体を設ける。
このガイド体によって、紙パック等の角部を切断することができる。
また、請求項２の握手部の端部に刃を備えるカッターナイフは、刃を中心とするガイド体の角度θを１００〜１１０゜であることによって、より円滑に紙パック等の角部を切断することができる。
また、請求項２の握手部の端部に刃を備えるカッターナイフは、ガイド体の下縁部を外側に曲折することによって、紙パック等の表面への食込みを防止して円滑な移動を可能にする。
【発明の効果】
【０００６】
本願のカッターナイフは、ガイド体を設けることによって、紙パック等の角部を切断することができる。
【発明を実施するための最良の形態】
【０００７】
本発明を実施する最良の形態について、図１〜５を参照して説明する。
図１はカッターナイフ１の全体図、図２は正面図、図３は側面図、図４はガイド体の曲折前の図、図５はガイド体を取り付ける前の図である。
【０００８】
カッターナイフの握手部１０は筒体であり、この握手部１０の側部には刃２を左右動可能なガイド溝５が形成してある。また、前記刃２を握手部１０の先端部からの突出量を調整する摘み８が備えてある。
尚、このカッターナイフ１は、図１に示す状態に於て、右から左方向に移動して切断可能に刃２が取り付けてある。
そして、前記刃２の先端部の切れ味が悪くなると、前記摘み８を用いて、刃２を握手部１０から突出させて、前記切れ味が悪くなった１枚の単体刃を折り曲げて除去する。そして、前記摘み８によって、新たな単体刃を、適宜の突出量になるように操作する。
【０００９】
また、前記刃２の先端部の両側には、１枚の板を曲折部２１を中心に左右同じ角度θで、９１〜１２０゜の範囲に曲折したガイド体２０ａ、２０ｂが、取付け片２５を介してボルト２２で固定してある。
尚、このガイド体２０ａ、２０ｂは、前記刃２が紙パック等の角部に突き刺す位置を維持可能にして切断するためのものであり、前記取付け片２５は前記ガイド体２０ｂを曲折して延設してある。
また、前記ガイド体２０ａ、２０ｂの下縁部２８ａ、２８ｂには、ガイド体２０ａ、２０ｂの外縁部から曲折部２１にかけて、外側への曲折を順次小さく形成してあり、上から下方向に切断しながら移動するとき、紙パック等の表面への食込みを防止して円滑な移動を可能にする。即ち、前記外側への曲折は、移動が円滑にできるような形状にすればよい。
また、前記ガイド体２０の曲折部２１の端部には、前記刃２を突出可能な開口２２が形成してある。
【００１０】
尚、前記ガイド体２０ａとガイド体２０ｂの角度は、刃２（曲折部２１）を中心に、左右同じ角度θで、９１〜１２０゜の範囲に形成する。この角度２θが、９０゜であると、紙パック等の角部の角度とほぼ同じであり、円滑な摺動（移動）ができないし、反対に、１２０゜より大きいと、紙パック等の角部をガイドすることができず、直線状の切断が難しい。尚、前記角度２θは、１００〜１１０゜の範囲がより望ましい。
また、このガイド体２０ａ、２０ｂは、必ずしも、ボルト２２で取外し可能に構成する必要はない。
【００１１】
次に、前記構成のカッターナイフ１の使用について説明すると、前記刃２を開口２１に合わせて、ボルト２２で取付け片２５を固定すると、ガイド体２０ａ、２０ｂが固定される。
そして、前記刃２を紙パック等の角部に突き刺し、握手部１０をもって移動させると、ガイド体２０ａ、２０ｂによって、刃２は紙パック等の角部を切断しながら移動する。そのため、紙パック等の角部を直線状に切断できる。
【図面の簡単な説明】
【００１２】
【図１】カッターナイフの全体図である。
【図２】カッターナイフの正面図である。
【図３】カッターナイフの側面図である。
【図４】カッターナイフのガイド体の曲折前の平面図である。
【図５】カッターナイフのガイド体を取り付ける前の図である。
【符号の説明】
【００１３】
２  刃
８  摘み
１０  握手部
２０ａ、２０ｂ  ガイド体
２２  ボルト
２５  取付け片
２８ａ、２８ｂ  ガイド体の下縁部
【図１】
2009112699.tif 000003
【図２】
2009112699.tif 000004
【図３】
2009112699.tif 000005
【図４】
2009112699.tif 000006
【図５】
2009112699.tif 000007
(57)【要約】【課題】同期発電機の初期励磁回路において初期励磁電流を制御するため、抵抗を取り付ける必要があり、コンパクト化及び低価格化を実現する上で問題となっており、これを解決する初期励磁回路を提供する。【解決手段】同期発電機の出力電圧を入力とする第１の整流器と、この整流器の出力をスイッチング素子を介して前記同期発電機の界磁巻線に供給する回路からなるＡＶＲに、外部直流電源と第２の整流器を直接接続した回路を、前記の第１の整流器と並列にかつ、同一方向に電流を流しうる様に接続することで、初期励磁電流を前記スイッチング素子で制御する。外部直流電源の電源電圧に関係なく、初期励磁回路に抵抗器を直列接続する必要が無くコンパクト化及び低価格化が実現可能となる。【選択図】図１
2009112178.tif 000002
【特許請求の範囲】
【請求項１】
同期発電機の出力電圧を入力する第一の整流器と、該整流器の出力をスイッチング素子を介して該同期発電機の界磁巻線に供給する回路からなる自動電圧調整器に、外部直流電源及び第二の整流器を直列接続した回路を、該第一の整流器と並列にかつ、同一方向に電流を流しうる方向に接続したことを特徴とする同期発電機の初期励磁回路。
【発明の詳細な説明】
【技術分野】
【０００１】
本発明は、同期発電機(以下単に発電機という)の出力電圧を自動電圧調整器（以下ＡＶＲという）により制御する場合の初期励磁回路に関するものである。
【背景技術】
【０００２】
一般に発電機はＡＶＲにより発電機の界磁電流を制御することで、発電機出力電圧を所望の値に保っている。この時ＡＶＲの入力電源は、発電機の出力電圧である。そのため、発電開始時には外部直流電源より発電機の界磁巻線に初期励磁電流を流し、ＡＶＲが発電機の界磁電流を制御しうるまでの発電機出力電圧を得る必要がある。
【０００３】
初期励磁回路は、外部直流電源を発電機の界磁巻線に接続し、外部直流電源より初期励磁電流を得るための回路である。
【特許文献１】特開平０７−１７０７９６号公報
【発明の開示】
【発明が解決しようとする課題】
【０００４】
外部直流電源と発電機の界磁巻線を接続した初期励磁回路においては、必要な初期励磁電流を得るため、外部直流電源の電源電圧を制御するか、又は初期励磁回路に抵抗器を直列に接続して初期励磁電流を制御する必要がある課題があった。
【課題を解決するための手段】
【０００５】
本発明は、上述した問題点を解決すべく創案されたもので、以下に述べる手段で外部直流電源の電源電圧に関係なく、初期励磁回路に抵抗器を直列接続する必要が無いことを特徴とする。
【０００６】
発電機の出力電圧を入力とする第１の整流器と、この第１の整流器の出力をスイッチング素子を介して前記発電機の界磁巻線に供給する回路からなるＡＶＲに、外部直流電源と第２の整流器を直接に接続した回路を前記の第１の整流器と並列にかつ、同一方向に電流を流しうる様に接続することで、初期励磁電流を前記スイッチング素子で制御する。
【発明の効果】
【０００７】
本発明の発電機の初期励磁回路は、外部直流電源の電源電圧に関係なく抵抗器が不要となり、コンパクト化及び低価格化が実現可能となることから実用上極めて有用である。
【発明を実施するための最良の形態】
【０００８】
発電機の出力電圧を入力とする第1整流器と、この第1整流器の出力をスイッチング素子を介して前記発電機の界磁巻線に供給する回路からなるＡＶＲに、外部直流電源と第２の整流器を直列に接続した回路を、前記の第１の整流器と並列にかつ、同一方向に電流を流しうる様に接続した回路。
【実施例１】
【０００９】
図1は本発明の実施例である。負荷９に接続される発電機１の出力が、励磁トランス２及び整流器３を介してスイッチング素子７と発電機の界磁巻線８に接続され、さらに整流器３と並列に外部直流電源４、スイッチ５及び整流器６を直列に接続した回路において、スイッチ５を閉とすると整流器６を介し発電機の界磁巻線８にスイッチング素子７で制御された励磁電流が流れる。この励磁電流によって発電機１の出力電圧が上昇し、変圧器２を介し整流器３へ給電され、整流器３の出力電圧が外部直流電源４から給電される電圧より高くなると、以降は整流器３の出力により、発電機の界磁巻線８に励磁電流を流し発電機１の出力電圧を所望の値に保つ。１０は自動電圧調整器（ＡＶＲ）である。
【産業上の利用可能性】
【００１０】
外部直流電源より発電機の初期励磁電流を流す装置に適用することが出来る。
【図面の簡単な説明】
【００１１】
【図１】本発明の実施例である。
【符号の説明】
【００１２】
１．  発電機
２．  変圧器
３．  整流器
４．  外部直流電源
５．  スイッチ
６．  整流器
７．  スイッチング素子
８．  発電機の界磁巻線
９．  負荷
１０．自動電圧調整器（ＡＶＲ）
【図１】
2009112178.tif 000003
(57)【要約】【課題】角型インスタントラーメンの調理に際し、添加水量を誤って味付けに失敗するようなことがなく、しかも、調理後においてラーメンをなべからどんぶり等へ移し替える作業が容易な角型なべを提供することを課題とする。【解決手段】  容体部１とこれに取り付けられる取っ手２とから成り、前記容体部１はその内法縦横サイズが一般的角型インスタントラーメンの縦横サイズよりも少し大きめの角型であって、そのいずれかの角部３に前記取っ手２を取り付けたことを特徴とする。好ましくは、取っ手２は、容体部１の対角線方向に延びるようにし、また、容体部１に対して着脱自在とし、更に、容体部１の外側面及び／又は内側面に水量目盛６を付す。【選択図】図１
2009112576.tif 000002
【特許請求の範囲】
【請求項１】
容体部とこれに取り付けられる取っ手とから成り、前記容体部はその内法縦横サイズが一般的角型インスタントラーメンの縦横サイズよりも少し大きめの角型であって、前記取っ手は前記容体部のいずれかの角部に取り付けられていることを特徴とする角型なべ。
【請求項２】
前記取っ手は、前記容体部の対角線方向に延びる請求項１に記載の角型なべ。
【請求項３】
前記取っ手は、前記容体部に対して着脱自在である請求項１又は２に記載の角型なべ。
【請求項４】
前記容体部の外側面及び／又は内側面に、水量目盛が付されている請求項１乃至３のいずれかに記載の角型なべ。
【発明の詳細な説明】
【技術分野】
【０００１】
本発明は、角型なべ、より詳細には、殊に角型インスタントラーメンの調理に好適な角型なべに関するものである。
【背景技術】
【０００２】
一般になべは、丸型容体部の側面に取っ手を取り付けて成る。また、袋詰めインスタントラーメンの多くは、正方形又は正方形に近い角型に成形して製品化されている。この角型インスタントラーメンを丸型なべで調理する場合は、円形の中に四角形を入れることになるために、ラーメンの周囲に空間ができる。そのために、袋に同梱されている調味料との関係での水量調整が難しいものとなり、調理後、思ったよりも味が薄かったり、濃かったりすることが起こる。
【０００３】
【特許文献１】特開平６−３０４０６１号公報
【発明の開示】
【発明が解決しようとする課題】
【０００４】
上述したように、従来角型インスタントラーメンを丸型なべで調理する場合、ラーメンの周囲に空間ができるために水量調整が難しいという問題があったので、本発明は、角型インスタントラーメンの調理に際し、添加水量を誤って味付けに失敗するようなことがなく、しかも、調理後においてラーメンをなべからどんぶり等へ移し替える作業が容易な角型なべを提供することを課題とする。
【課題を解決するための手段】
【０００５】
上記課題を解決するための請求項１に記載の発明は、容体部とこれに取り付けられる取っ手とから成り、前記容体部はその内法縦横サイズが一般的角型インスタントラーメンの縦横サイズよりも少し大きめの角型であって、前記取っ手は前記容体部のいずれかの角部に取り付けられていることを特徴とする角型なべである。
【０００６】
好ましくは、前記取っ手は、前記容体部の対角線方向に延びるようにし、また、前記容体部に対して着脱自在とする。更に好ましくは、前記容体部の外側面及び／又は内側面に水量目盛を付す。
【発明の効果】
【０００７】
本発明は上記のとおりであって、容体部の内法縦横サイズが市販の一般的角型インスタントラーメンの縦横サイズよりも少し大きめの角型であるために、ラーメンが容体部内に隙間なく収まり、ラーメン量に対する水量設定が容易となり、味付けに失敗するおそれがない。また、取っ手が容体部の角部に取り付けられるため、調理後にラーメンをどんぶり等に移し替える際、容体部の角部から注ぐことができるので、つゆをこぼしたりすることなく迅速に行うことができる効果がある。
【発明を実施するための最良の形態】
【０００８】
本発明を実施するための最良の形態について、添付図面を参照しつつ説明する。本考案に係る角型なべは、一般のなべと同様に、容体部１とこれに取り付けられる取っ手２とから成る。容体部１は、縦横の内法サイズが市販の一般的角型インスタントラーメンよりも少し大きめの角型とされる（例えば、縦横それぞれ１２〜１３ｃｍ）。その深さは、例えば、インスタントラーメンの高さの３〜５倍程度（例えば、８〜９ｃｍ）にされる。
【０００９】
取っ手２は容体部１の角部の一つに取り付けられるが、固定的に取り付けることとしてもよいが、着脱自在にしてもよい。着脱自在にするためには、例えば、容体部１の角部３に、先端面にメネジ孔を設けた短尺の取っ手取付け部４を設置し、これに、先端にオネジを突設した取っ手２をねじ付けるようにする。このように着脱自在にした場合は、梱包時や収納時において、取っ手２を取り外して容体部１内に格納しておくことができるので、コンパクトな梱包、収納が可能となる。
【００１０】
また、通例、容体部１の内側面及び/又は外側面に、適宜水量目盛６が付される。その場合は、水量確認が一層容易となる。なお、図示していないが、別途容体部１に対応する蓋を用意することが好ましい。
【００１１】
この発明をある程度詳細にその最も好ましい実施形態について説明してきたが、この発明の精神と範囲に反することなしに広範に異なる実施形態を構成することができることは明白なので、この発明は、添付請求の範囲において限定した以外はその特定の実施形態に制約されるものではない。
【図面の簡単な説明】
【００１２】
【図１】本発明に係る角型なべの一実施形態の斜視図である。
【図２】本発明に係る角型なべの一実施形態の平面図である。
【符号の説明】
【００１３】
１    容体部
２    取っ手
３    角部
４    取っ手取付け部
５    オネジ
６    水量目盛
【図１】
2009112576.tif 000003
【図２】
2009112576.tif 000004
(57)【要約】      （修正有）【課題】つまりを気にせず、メンテナンスフリーの、つまらない樋とつまらない屋根を提供する。【解決手段】軒先に取り付け、水返し１と横向きフィルター２と水受け３によって構成する。水返し１によって、まずは大きなごみを空中へはじき、次に小さなごみと水を横向きのフィルター２に当てることにより、横向きフィルター２の面で、小さなごみを空中へ落下させ、水のみを水受け３に流入させる。これにより水受け３にはごみが入らなくなる。さらにこれをさまざまな屋根形状に対応できるように調整可能にする。また、屋根に組み込みと一体化も可能にする。【選択図】図１
2009030421.tif 000002
【特許請求の範囲】
【請求項１】
軒先に取り付け、水返しと横向きフィルターと水受けからなる、つまらない樋
【請求項２】
請求項１の構成において、さまざまな屋根形状に対応できるように調整可能にした、つまらない樋
【請求項３】
請求項１および２の構成によるつまらない樋を組み込み一体化させた、つまらない屋根
【発明の詳細な説明】
【発明の詳細な説明】
【技術分野】
【０００１】本発明は樋と屋根に関するものである。
【背景技術】
【０００２】従来の横樋は水を流す水受けのみで構成されるものが主流である。
水受けの上部に蓋状にフィルターをのせ、ごみが詰まることを抑える樋もあった。
しかし、そのフィルターの上にごみがつまり、水の流れが悪くなる問題を抱えていた。
【発明が解決しようとする課題】
【０００３】＜１＞  従来の横樋は、水受けが空中に露出しており、落ち葉やごみが飛来し、また、屋根面より流入し、樋のつまりの現象を起こしていた。
＜２＞  従来、横樋の上、あるいは、たて樋との流入部の上部に金網等のフィルターを設置したが、フィルターの上部、側部にごみが詰まり、結果的に、樋のつまり現象を起こしていた。
【課題を解決するための手段】
【０００４】＜１＞  軒先の水返しによって、まずは大きなごみを空中へはじき、次に小さなごみと水を横向きのフィルターに当てることにより、横向きフィルターの面で、小さなごみを空中へ落下させ、水のみを水受けに流入させる。これにより水受けにはごみが入らなくなる。そして、横向きろ過面には通常ごみが付着することはないが、いったん付着した場合にも乾燥し、風が吹いた折に落下し、常にごみのついていない状態を保ち、ごみつまりを防止する。
＜２＞  水受けは直接外気に面していないため飛来したごみが入り込むことがなく、詰まることはない。また万が一、外気に面している水返しと横向きフィルターに、ごみが飛来し付着したとしても風雨によりはがされ空中へ落下するので、飛来による本システムのつまりはない。
【発明を実施するための最良の形態】
【０００５】以下図面にもとづく本発明の一実施例を説明する。
【実施例】
【０００６】＜イ＞全体の構成。
軒先に水返しを隣接させ、方向転換された水の流れ方向に横方向フィルターを設置し、その水の流れ方向に水受けを配置する構成の横樋。【０００７】＜イ＞水返し  １
曲面を水が伝い落ちる性格を利用し、軒先から落ちる水の流れる方向を変えるもの。屋根板金に用いられることの多い各種の薄板鋼板や、樹脂により形成する。曲率や取り付け高さなどの調整によりさまざまな屋根形状に対応できるようにしている。【０００８】＜ロ＞横向きフィルター  ２
水は通すがごみは通さない程度の開口率のあるフィルター。ステンレス金網、樹脂網、発泡セラミック等でつくる。横方向からごみと水があたり、ごみが落下し、水は跳ね返らずしみこむように角度や取り付け部を調整する。【０００９】＜ハ＞水受け  ３
直接外気に面することなく、ごみなど飛来しない位置に設ける横樋。市販の横樋や、薄板金属や樹脂などで形成する。
【発明の効果】
【００１０】本発明は、上記したようになるため、次のような効果を達成することができる。
イ）雨樋のつまりは、屋根の劣化をもたらし、建物全体の寿命を縮める要素であった。この樋の登場によりそのつまりがなくなるので、建物の寿命をのばし、大きな経済効果をもたらす。
ロ）雨樋が詰まるとその対策として、屋根の上に登る等のメンテナンスが必要であり、高齢化も加わり、この危険なメンテナンスが実施するのが困難になってきている。この樋の登場により、メンテナンスフリーとなり、安全性が確保される。
ハ）この樋は、既存建物にも取り付けが可能であるので、広く普及することができる。
ニ）雨樋のつまりの原因として落ち葉がある。この樋の登場により、落ち葉があっても問題がなくなるので、樋のつまりを気にせず高木を育てることができ、緑化の推進を阻む要素がひとつ軽減され、緑化が図りやすくなる。
【図面の簡単な説明】
【図１】つまらない樋の全体構成図
【図２】つまらない屋根の全体構成図
【図１】
2009030421.tif 000003
【図２】
2009030421.tif 000004
(57)【要約】【課題】  既存ライナープレート天端の孔に深礎ライナー手摺をボルトで固定、連結させることによってさまざまな施工径のライナープレートに適合でき、送風ダクトが折れ曲がる事無く坑内にダクトを降ろせる、深礎ライナー手摺を提供する。【解決手段】  均等に並んだ鉄パイプの下端にボルト孔の開いた等辺山型鋼を取付け、側面に落石防止用の鉄板を取り付ける。上端にも等辺山形鋼を取付け、両端にボルト孔の開いた鉄板Ｂを取り付ける。送風ダクトの大きさに合わせて鉄パイプを円形状に切断し、切断面に円形鉄板を取り付ける。【選択図】図１
2009030420.tif 000002
【特許請求の範囲】
【請求項１】
深礎工事で用いるライナープレート天端に直接安全柵を取付けることができ、さまざまな施工径にも応用できる深礎ライナー手摺。
【発明の詳細な説明】
【技術分野】
【０００１】  この発明は、土木工事に関し、特に深礎工事で用いられるライナープレートの転落防止手摺に関するものである。ここでライナープレートの天端に直接ボルトにて手摺を取り付け、連結させることによっていかなる杭径でも適合できるようになり、送風換気用のダクト孔を設けたものである。
【背景技術】
【０００２】  従来、深礎工事等に用いる開口部の手摺は、ライナープレートの外周に手摺柱、単管パイプ等を使用し、手摺として使用していた。施工径はさまざまで直径１．２ｍから約１０．０ｍまで、その都度現地で手摺を作成していた。
【発明の開示】
【発明が解決しようとする課題】
【０００３】    これは、次のような欠点があった。
（イ）従来、さまざまな施工径のライナープレートに応じて、現地で単管パイプ等で手摺を作成し、施工径に応じ本数や長さを変える必要があった。
（ロ）ライナープレート内への落石防止の幅木として、外周に足場板等も設置しなければならなかった。
（ハ）深礎工事に必要な送風換気のダクトが手摺によって折れ曲がり、欠損ができ、送風能力が低下していた。
本発明は以上のような欠点をなくすためになされたものである。
【課題を解決するための手段】
【０００４】  この課題を解決するため、均等に並んだ鉄パイプ（１）の下端にボルト孔の開いた等辺山型鋼Ａ（２）を取付け、側面に落石防止用の鉄板Ａ（３）を取り付ける。上端にも等辺山形鋼Ｂ（４）を取付け、両端にボルト孔の開いた鉄板Ｂ（５）を取り付ける。送風ダクトの大きさに合わせて鉄パイプを円形状に切断し、切断面に円形鉄板（６）を取り付ける。
本発明は、以上の構成よりなる深礎ライナー手摺である。
【発明の効果】
【０００５】  手摺の枚数を増減するだけであらゆる大きさのライナープレートに応用することができる。又、安全衛生規則第５５２条に基づき、規定の手摺高さ以上有している為、現地での高さ調整や落石防止の幅木の取付けが不要となった。又、送風グクト用の開口を設けている為、手摺によってダクトが折れ曲がる事無く坑内に降ろせるようになった。
【発明を実施するための最良の形態】
【０００６】  以下、本発明の実施をするための最良の形態について説明する。
高さ１．０ｍの鉄パイプ（１）を均等に５本並べ、下端にボルト孔が２箇所開いた等辺山型鋼Ａ（２）を取付ける。
この時、いかなる直径のライナープレートでもボルト間隔は製品上決まっている為、所定の間隔に合わせてボルト孔を２箇所開口させておく。
鉄パイプ（１）の側面の下端には高さ２５ｃｍの落石防止用の鉄板Ａ（３）を取り付ける。
上端には等辺山形鋼Ｂ（４）を取付け、両端にボルト孔の開いた鉄板Ｂ（５）を取り付ける。
この時、上記同様、いかなる直径のライナープレートでもボルト間隔は製品上決まっている為、所定の間隔に合わせてボルト孔を開口させておく。
送風ダクトの大きさに合わせて鉄パイプを円形状に切断し、切断面に円形鉄板（６）を取り付ける。
この深礎ライナー手摺の下端を、既存ライナープレート（７）天端のボルト孔に合わせてボルト（８）にて固定する。
これを既存ライナープレート（７）に全周取付ける。
深礎ライナー手摺の天端の両側に取り付けられた鉄板Ｂ（５）を利用して、隣り合う深礎ライナー手摺をボルト（８）にて固定し、連結していく。
深礎ライナー手摺の送風ダクト孔に送風ダクトを通せばダクトが折れ曲がる事無く換気ができるようになる。
【産業上の利用可能性】
【０００７】  本発明に係わる深礎ライナー手摺は、工業的に量産する事が可能であるため、産業上の利用可能性を有する。
【図面の簡単な説明】
【０００８】
【図１】  深礎ライナー手摺の立面図である。
【図２】  既存ライナープレートに深礎ライナー手摺を取付けた際の斜視図である。
【符号の説明】
【０００９】  １  鉄パイプ
２  等辺山型鋼Ａ
３  鉄板Ａ
４  等辺山型鋼Ｂ
５  鉄板Ｂ
６  円形鉄板
７  既存ライナープレート
８  ボルト
９  送風ダクト
【図１】
2009030420.tif 000003
【図２】
2009030420.tif 000004
(57)【要約】【課題】  蒸発管の一部を製氷容器のセル内に挿入し、セル内の水を中央から冷却することで、従来の氷の品質上の課題を解消するととともに、冷却効率に極めて優れた製氷機用冷却器を提案する。【解決手段】  短管をコの字に折り曲げ加工して形成したコの字管１０を、その側管部１１を当接させて所定の本数連設し、当接した２本の側管部１１にキャップ２０を被せて側管部１１を連通し、所定の間隔で側方へ突出する枝管部１５を設けて蒸発管を形成し、製氷容器３０の各セル３２内に枝管部１５を挿入して構成する。【選択図】図１
2009030816.tif 000002
【特許請求の範囲】
【請求項１】
短管をコの字に折り曲げ加工して形成したコの字管１０を、その側管部１１を当接させて所定の本数連設し、当接した２本の側管部１１にキャップ２０を被せて側管部１１を連通し、所定の間隔で側方へ突出する枝管部１５を設けて蒸発管を形成し、
製氷容器３０の各セル３２内に枝管部１５を挿入して構成した製氷機用冷却器。
【請求項２】
コの字管１０及びキャップ２０を銅材で形成し、側管部１１の外側当接面１２を平坦に形成し、接合箇所にろう材を設置又は塗布して組み立て、組立品を加熱炉にてろう付けして蒸発管を製作した請求項１に記載の製氷機用冷却器。
【発明の詳細な説明】
【技術分野】
【０００１】
この発明は、小ブロックの氷を作る製氷機に組み込む製氷機用冷却器に関するものである。
【背景技術】
【０００２】
従来、小ブロックの氷を順次作る製氷機の冷却器は、多数のセルに区切られた薄箱状の製氷容器に冷凍サイクルに連結した蒸発管を当接させ、セル内の水を外側から冷却する構造がとられている（特許文献１参照）。しかし、こうした製氷機用冷却器においては、セル内の水を外側から製氷するために、中央部が十分に冷却されずに氷とならなかったり、中央に気泡を残すことがある。また、製氷容器に当接した蒸発管で外側から冷却し、セル内の水を間接的に冷却する構造であるから、冷却効率にも課題がある。
【特許文献１】特開平１０−１９７１１８号公報
【発明の開示】
【発明が解決しようとする課題】
【０００３】
この発明は、蒸発管の一部を製氷容器のセル内に挿入し、セル内の水を中央から冷却することで、従来の氷の品質上の課題を解消するととともに、冷却効率に極めて優れた製氷機用冷却器を提案するものである。また、組立作業性に優れ、簡単に製作可能な製氷機用冷却器を提案することを目的とするものである。
【課題を解決するための手段】
【０００４】
こうした目的を達成するため、この発明の製氷機用冷却器は、短管をコの字に折り曲げ加工して形成したコの字管１０を、その側管部１１を当接させて所定の本数連設し、当接した２本の側管部１１にキャップ２０を被せて側管部１１を連通し、所定の間隔で側方へ突出する枝管部１５を設けて蒸発管を形成する。そして、製氷容器３０の各セル３２内に枝管部１５を挿入して構成するものである。
【０００５】
また、このように構成した製氷機用冷却器において、コの字管１０及びキャップ２０を銅材で形成し、側管部１１の外側当接面１２を平坦に形成し、接合箇所にろう材を設置又は塗布して組み立て、組立品を加熱炉にてろう付けして蒸発管を製作するものである。
【発明の効果】
【０００６】
この発明の製氷機用冷却器は、所定の間隔で側方へ突出する枝管部１５を設けて蒸発管を形成し、枝管部１５を製氷容器３０の各セル３２内に挿入して構成したので、セル３２内の水は中央から製氷され、中央に気泡を残すなどの従来の製氷機用冷却器における氷の品質上の課題を解消することができる。
【０００７】
また、セル３２内の水を直接冷却するものであるから、極めて冷却効率に優れるととともに、コの字管１０の本数の増減で任意の冷却能力に対応可能であり、所定本数のコの字管１０を連接したユニットを製作し、このユニットを複数列連結することで、大能力の冷却器にも適用することができる。
【０００８】
また、当接した２本の側管部１１にキャップ２０を被せるだけであるから組立作業性に優れ、コの字管１０及びキャップ２０を銅材で形成し、側管部１１の外側当接面１２を平坦に形成し、組立品をろう付けすることで、一度のろう付け工程で蒸発管を堅固且つ気密に接合することができ、製作も容易である。
【発明を実施するための最良の形態】
【０００９】
以下に、この発明を実施するための最良の形態について、図面を用いて具体的に説明する。図１は、この発明の製氷機用冷却器の基本的構成を示し、５本のコの字管１０を連設して形成した蒸発管を示す。コの字管１０は、所定寸法の銅管（短管）をコの字に折り曲げ加工して形成され、その側管部１１の外側当接面１２は平坦に形成され、半円形の開口端を形成している。
【００１０】
図示の蒸発管において、５本のコの字管１０が側管部１１を当接させて連設され、その両端に、コの字管１０を半分に切断した形状のＬ字管１８が同様に当接されている。当接した２本の側管部１１に銅製のキャップ２０が気密に被せられ、側管部１１が連通されている。このように、所定の間隔で側方へ突出する枝管部１５を設けて蒸発管が形成されている。製氷容器３０は仕切板でセル３２に区切られ、図１に示すように、各セル３２内に枝管部１５を挿入して冷却器が構成される。
【００１１】
次に、蒸発管の製作手順を説明する。側管部１１の外側当接面１２の平坦面を当接し、当接した２本の側管部１１にキャップ２０を被せ、接合箇所にろう材を設置又は塗布して蒸発管を組み立てる。この組立品を加熱炉内に投入してろう付けし、堅固且つ気密に接合し、最後にニッケルメッキ等の表面処理を施して蒸発管を製作する。
【００１２】
この冷却器は、蒸発管が冷凍サイクルに連結され、管内を冷媒が流通（図１中矢印参照）し、蒸発気化してセル３２内の水を冷却する。セル３２内の水は枝管部１５により中央から冷却、製氷され、セル３２の体積の小ブロックの氷が順次作られる。
【００１３】
以上、基本的構成について説明したが、図１に示す蒸発管をユニットとして製作し、このユニットの複数列を並列又は直列に連結することで、大能力の冷却器にも適用することができる。なお、構造を明確にするために図示の蒸発管の径を太く示したが、コの字管１０等の寸法は冷却器の仕様により決定される。
【図面の簡単な説明】
【００１４】
【図１】この発明の基本的構成を示す説明図。
【図２】コの字管の（Ａ）正面図、（Ｂ）側面図。
【図３】キャップの（Ａ）正面図、（Ｂ）側面図。
【符号の説明】
【００１５】
１０  コの字管
１１  側管部
１２  当接面
１５  枝管部
２０  キャップ
３０  製氷容器
３２  セル
【図１】
2009030816.tif 000003
【図２】
2009030816.tif 000004
【図３】
2009030816.tif 000005
(57)【要約】【課題】ローラーベアリングのスライド抵抗を無くするベアリングに段差を付けた機構を提供する。【解決手段】ローラーベアリング（１）に，段差をつけ転がりの距離を合わせスライド抵抗をなくした【選択図】図１
2009030788.tif 000002
【特許請求の範囲】
【請求項１】
軸受けに使うローラーベアリング（１）に於いて，
ローラーベアリング（１）に段差（２）と（３）を付けて，ローラーベアリング（１）の直径を，
２種類とする事により，ローラーベアリング（１）の，スライド抵抗を無くし，
転がり抵抗だけにした。
軸受け側（４）も，ローラーベアリング（１）の側も，そのサイズは自由に決められる。
スライド抵抗の無いローラーベアリング機構
【発明の詳細な説明】
【技術分野】
【０００１】  この発明は，内側と外側のレールの転がりの距離の違いを，
ローラーベアリングに於いて，ベアリングに段差を付けて転がりの距離を，合わせ，
スライド抵抗を無くしたローラーベアリング機構に関するものである。
【背景技術】
【０００２】  従来，ベアリングは内側と外側のレールの，距離の違いを，接触面を，滑らせて合わせて居る。
図５のような，（７）と（９）の直線どうしのレール間の直線の場合は（８）のベアリングは転がりだが，
図６のような，軸（１３）の回りのレール（１０）と（１２）の様に，
挟むレールが円周の場合には，外側の円周長（１０）の方が，内側の円周長（１２）よりも長いので，
ベアリング（１１）には，接触面での滑りが必要となる。【０００３】
【数１】
2009030788.tif 000003
【０００４】例えば図６の場合，直径の差が４ｃｍとすると外側の円周長（１０）と，
内側の円周長（１２）の差は
４ｃｍ×３．１４＝１２．５６ｃｍ
と成る。
ベアリグ（１１）はこの滑りが無いと，外側の円周長（１０）と内側の円周長（１２）の間を，１周して回って来れない事になる。
本発明は，この長さの，違いをベアリングを滑らせないで，合わせるベアリング機構に関するものである。
【発明の開示】
【発明が解決しょうとする課題】
【０００５】  従来，ベアリングは内側と外側のレールの接触面を滑らせて，
内側のレールと外側のレールの転がりの，距離の違いを，合わせて居る為に，
完全な転がり抵抗とは言えず，スライド抵抗があった。
【課題を解決するための手段】
【０００６】  ローラーベアリング（１）に於いては，ベアリングに段差を付けて，
ベアリングの径の小さい方（２）を，内側のレール（５）に乗せ，
ベアリングの径の大きい方（３）を，外側のレール（６）に乗せて，転がりの距離を合わせる。
本発明は，以上の構成よりなる，スライド抵抗の無いローラーベアリング機構である。
【発明の効果】
【０００７】  完全な転がり抵抗だけで，スライド抵抗の無いローラーベアリング機構にできる為，摩耗とかオイル消耗を減少させる。
【発明を実施するための最良の形態】
【０００８】  以下，本発明を実施するための最良の形態について説明する。
図１は，本発明の側面透視図であるが
ローラーベアリング（１）に於いては，ベアリングに段差をつけて，
ベアリングの径の小さい方（２）を，回転しない軸（４）側の内側のレール（５）に乗せ，
ベアリングの径の大きい方（３）を，回転しない軸（４）の外側の回転するレール（６）に乗せる。【０００９】図２は，本発明の側面透視図であるが
その距離長の関係を示している。
ａは，回転しない軸（４）側の内側のレール（５）と軸（４）の回転する外側のレール（６）の半径の差
ｂは，回転しない軸側の内側のレール（５）の半径
ｃは，ベアリングの径の小さい方（２）とベアリングの径の大きい方（３）の半径の差
ｄは，ベアリングの径の小さい方（２）の半径
であり
それぞれの，関係は
ａ：ｂ＝ｃ：ｄ
２ａ＋２ｂ：２ｂ＝２ｃ＋２ｄ：２ｄ
ａ−ｃ＋２ｄ  と成る
【実施例】
【００１０】例えば  図２に於いて，
ａを２ｃｍとし、ｂを４ｃｍとする場合
ｃ＝０．４ｃｍと成り，ｄ＝０．８ｃｍと成る。【００１１】図３は，本発明の側面断面図であり，
図４は，本発明の正面断面図である。
ベアリングの径の小さい方（２）とベアリング径の大きい方（３）は，一体であり，
回転しない軸（４）側のレール（５）と回転する外側のレール（６）は，別体である。【００１２】  以上，本発明の実施の方法，及び実施例を説明したが
本発明の範囲はこれに限定されるものではない。
例えば，
ローラーベアリング（１）の位置をコントロールする，ボールリテーナー（１４）は，
図面７以外は，説明を判り易くする為に図示を省略して在り，
ローラーベアリングの（１）数も４個とは，限らない。
【図面の簡単な説明】
【００１３】
【図１】本発明の側面透視図である。
【図２】本発明の側面透視図である。それぞれの距離長を示している。
【図３】本発明の側面断面図である。
【図４】本発明の正面断面図である。
【図５】本発明の原理の説明図である。
【図６】本発明の原理の説明図である。
【図７】本発明の側面図である。
【符号の説明】
【００１４】  １        ローラーベアリング
２        ローラベアリング径の小さい方
３        ローラベアリング径の大きい方
４        回転しない軸
５        回転しない軸側の内側のレール
６        回転する外側のレール
７        ローラベアリングの上の直線のレール
８        ローラーベアリング
９        ローラベアリングの下の直線のレール
１０      回転する外側のレール
１１      ローラーベアリング
１２      回転しない軸側の内側のレール
１３      回転しない軸
１４      ローラーベアリングの位置をコントロールするボールリテーナー
【図１】
2009030788.tif 000004
【図２】
2009030788.tif 000005
【図３】
2009030788.tif 000006
【図４】
2009030788.tif 000007
【図５】
2009030788.tif 000008
【図６】
2009030788.tif 000009
【図７】
2009030788.tif 000010